(57)【特許請求の範囲】
【請求項１】
円筒状のシェル（１１）と、上記シェル（１１）の一端に着脱自在に結合したプラグ（２０）と、上記シェル（１１）の他端に結合したロッドガイド（１７）と、上記シェル（１１）内に摺動自在に挿入したピストン（１２）と、上記シェル（１１）内に上記ピストン（１２）で画成された二つの室（Ａ、Ｂ）と、上記ピストン（１２）に形成されて上記二つの室（Ａ、Ｂ）を連通する通路（１３）と、上記一方の室（Ａ）内に収容されて常時上記ピストン（１２）を伸方向に附勢しているスプリング（１４）と、上記ロッドガイド（１７）内に移動自在に挿入されて上記スプリング（１４）の反力に抗して上記ピストン（１２）を押し込むロッド（１５）と、上記ロッドガイド（１７）の外端部に直列に設けられて上記ロッド（１５）の外周にそれぞれ摺接するシール（１８）及び当該シール（１８）の密封程度を調整する調整部材（１９）とで構成された芳香器。
【請求項２】
ロッド（１５）の摺動表面には、芳香液が付着しやすい様に細かい凹凸形状のミゾ等が付いている請求項１記載の芳香器
【発明の詳細な説明】
【０００１】
【発明の属する技術分野】
この発明は、円筒状のシェル形状の容器に芳香液を入れ、ロッドを収縮作動させることでロッド表面に付着する芳香液が蒸発して芳香効果を得る芳香器
【０００２】
【従来の技術】
従来、この種の芳香器としては見あたらないが、原理構造の似た弁付塗布具がある。
（例えば、特開平１１−３００２６３）
【０００３】
【発明が解決しょうとする課題】
本発明は、従来の技術が塗布具のため、先端の弁部を後退させると内部の液体が先端部の液溜まりから出てくる。このため、弁部の少しの作動ストロークで内部の液体は垂れ流しとなり芳香器とした場合は芳香効果の制御が難しくなる問題が有る。
【０００４】
本発明は、芳香効果を得たい時に、芳香器のロッドを有る程度の長いストロ作動をさせて内部の液体をロッドに薄く均等に付着させる事で、ロッドに付着した芳香液の蒸発による芳香効果を早めさせる。また、作動回数を繰り返す事で芳香効果を強めたり弱めたりすることを目的としている。
【０００５】
【課題を解決するための手段】
上記目的を達成するために、本発明の芳香器は、円筒状のシェルと、上記シェルの一端に着脱自在に結合したプラグと、上記シェルの他端に結合したロッドガイドと、上記シェル内に摺動自在に挿入したピストンと、上記シェル内に上記ピストンで画成された二つの室と、上記ピストンに形成されて上記二つの室を連通する通路と、上記一方の室内に収容されて常時上記ピストンを伸方向に附勢しているスプリングと、上記ロッドガイド内に移動自在に挿入されて上記スプリングの反力に抗して上記ピストンを押し込むロッドと、上記ロッドガイドの外端部に直列に設けられて上記ロッドの外周にそれぞれ摺接するシール及び当該シールの密封程度を調整する調整部材とで構成されたことを特徴とする。
【０００７】
また、芳香効果の強弱を調整するために、ロッド表面に付着する芳香液の付着量をシールの締め代で調整したり、また、ロッド表面には細かい凹凸状のミゾを形成し芳香液の付着量を調整してもよい。
【０００８】
【発明の実施の形態】
考案の実施の形態について図面を参照して説明する。図１に示すように、本発明の一実施の形態における芳香器は、円筒状のシェル１１と、上記シェル１１の一端に着脱自在に結合したプラグ２０と、上記シェル１１の他端に結合したロッドガイド１７と、上記シェル１１内に摺動自在に挿入したピストン１２と、上記シェル１１内に上記ピストン１２で画成された二つの室Ａ、Ｂと、上記ピストン１２に形成されて上記二つの室Ａ、Ｂを連通する通路１３と、上記一方の室Ａ内に収容されて常時上記ピストン１２を伸方向に附勢しているスプリング１４と、上記ロッドガイド１７内に移動自在に挿入されて上記スプリング１４の反力に抗して上記ピストン１２を押し込むロッド１５と、上記ロッドガイド１７の外端部に直列に設けられて上記ロッド１５の外周にそれぞれ摺接するシール１８及び当該シール１８の密封程度を調整する調整部材１９とで構成される。詳しくは、芳香液の容器となるシェル１１と、シェルの中を摺動するピストン１２、ピストンには作動した時に芳香液が通過する通路１３を設けて有る。ピストン１２は内装されたスプリング１４の反力で常に最伸び状態になっている。ピストン１２を押し込むロッド１５はピストン１２に先端部ロッド１５はピストン１２により押し戻された時に抜け出てこないように止め輪２１が装着して有る。ロッド１５の外部端には押し込み時のストロークを規制し、また、ロッドに付着した芳香液が手に付着しないように押し板１６が設けてある。
【０００９】
ロッド１５の先端の押し板１６を押し込むとロッド１５はロッドガイド１７に案内されて押し込まれ、ピストン１２を更に押し込む。ピストン１２がスプリング１４の荷重よりも強い荷重で押し込まれると通路１３から芳香液がＡ室からＢ室へ通過してピストン１２が作動する。Ｂ室へ入った芳香液は、ロッド１５の表面に付着する。芳香液の外部への漏れはロッドガイド１７とロッド１５の摺動部にシール１８を設けて押さえられる。
【００１０】
押し込んだ押し板１６から手を離すとロッド１５はスプリング１４の反力によりピストン１２をかえして押し戻される。ロッド１５が伸び出る時にロッド１５に付着した芳香液はシール１８で掻き取られ僅かにロッド１５の表面に付着する。ロッド１５が最伸び状態となり外気に曝されるとロッド１５の表面に僅かに残った芳香液が蒸発して芳香効果が得られる。
【００１１】
芳香効果は、ロッド１５の表面に付着する芳香液の量で変わるため、ゴム状の弾性体で出来ているシール１８の締め代を変えることでも調整出来、締め代調整は、調整部材１９のネジ部２２を押し込むことでシール１８を圧縮して径方向の締め代が増加しシール１８の締め代を変えられる。また、図２のように、ロッド１５の表面にはシール１８の締め代よりは浅く、作動時にシールを痛めない細かい凹凸状のミゾを形成して芳香液が付着しやすくしてもよい。
【００１２】
芳香液はロッド１５を繰り返し作動させるとだんだんと減少するが、ある程度減り芳香効果が無くなったらシェル１１のボトムにネジ部２４で締結された吊着部と一体となっているプラグ２０を外して、芳香液を自分の好みの芳香液に詰め替え可能とし補充する事で初期の芳香効果が復元出来る。
【００１３】
図３の携帯電話機に使用した例は、例えば携帯電話機本体５に芳香器付きストラップとして取り付けられる。この芳香器付きストラップは、芳香器１のプラグ２０に設けた穴にリング２を通しリング２にはゴム紐３と吊り紐４で構成される。このように、携帯電話機のストラップとして使用した場合は、芳香器のシェル１１を透明・半透明とすることにより芳香液の内部残量が容易に分かることや、表面にキャラクターシールや写真シールを貼り付けることによって、芳香器１の全体としてのアクセサリー性を向上させることも可能である。
また、この実施の形態によれば、芳香液を浸透させた物をカプセルにした物などと比較し、芳香効果を得たいときに任意に強めたり弱めたりする事が可能であり、より個性的にユーザーの好みの芳香効果を長期間維持することができる。
【００１４】
【発明の効果】
本考案は、上述のとおり構成されているので、次に記載する効果を奏する。
【００１５】
請求項１の芳香器においては、芳香効果を得たいときに芳香器を作動させた時にのみ得られので、芳香効果が長期間にわたって維持することが出来、さらに、芳香液がロッド表面に薄く付着する程度なので液漏れや液が他に付着することもない。
【００１６】
請求項２の芳香器においては、芳香効果をより強めたいときの手段として効果的である。
【図面の簡単な説明】
【図１】芳香器の縦断面図である
【図２】ミゾ付きロッドの実施状況を示す断面図である。
【図３】携帯電話機の芳香器付きストラップの実施状況を示す斜視図である
【符号の説明】
１ 芳香器
１１ シェル
１２ ピストン
１３ 通路
１４ スプリング
１５ ロッド
１６ 押し板
１７ ロッドガイド
１８ シール
１９ 調整部材
２０ プラグ
２１ 止め輪
２２ ネジ部
２４ ネジ部
２ リング
３ ゴム紐
４ 吊り紐
５ 携帯電話機本体
【図１】
0004313937.tif 000002
【図２】
0004313937.tif 000003
【図３】
0004313937.tif 000004